(57)【特許請求の範囲】
【請求項１】
空気調和装置に信号線によって接続された第一遠隔操作器及び第二遠隔操作器の両者と、これらの両者にそれぞれ具備された、これらの両者の一方が上記空気調和装置の運転状態を監視する主機動作に対し、上記一方が行う上記空気調和装置との通信に関して上記両者の他方に送達する上記運転状態を一致させ、かつ上記一方の動作を確認する從機動作機能が形成されて上記他方が上記從機動作中に上記一方の異常を検出する主機異常検出手段、及び上記一方の主機動作の異常時に上記他方を主機動作させる主機／從機設定手段、及び上記他方の主機／從機の設定状態を表示部に表示する主機／從機設定表示手段を有する制御部とを備え、上記両者の他方の制御部は、主機である上記両者の一方が行なう上記空気調和装置との通信が所定時間検出不能であるときに上記主機異常検出手段によって異常を検出し、異常が検出された場合に、上記主機／從機設定表示手段を介して上記表示部に上記両者の一方の異常を表示し、上記主機／從機設定手段により上記両者の他方を主機に変換することを特徴とする空気調和装置の制御装置。
【請求項２】
上記両者の他方の制御部は、主機である上記両者の一方が行なう上記空気調和装置との通信が所定時間検出不能であるときに上記両者の一方に主機動作確認コマンドを送信して、上記両者の一方からの応答コマンドが所定時間内に受信できないときに上記主機異常検出手段により上記両者の一方の異常を確定し、応答コマンドを所定時間内に受信したときには上記両者の他方の異常対策動作を解除することを特徴とする請求項１に記載の空気調和装置の制御装置。
【請求項３】
制御部は、主機／從機設定手段により第一遠隔操作器及び第二遠隔操作器の両者の他方を主機に変換する動作において、上記両者の他方が主機であることを示す主機／從機設定コマンドを上記両者の一方に送信すると共に、上記両者の他方が主機であると設定し、かつ上記主機／從機設定コマンドの送信前に上記両者の一方から主機／從機設定コマンドを受信した場合には、上記両者の他方を從機であると設定することを特徴とする請求項１及び請求項２のいずれか一つに記載の空気調和装置の制御装置。
【請求項４】
制御部は、主機／從機設定手段により第一遠隔操作器及び第二遠隔操作器の両者の他方を主機に変換する動作において、上記両者の一方が行う空気調和装置との通信を監視し上記通信が受信できない場合に、上記両者の他方が主機であることを示す主機／從機設定コマンドを上記両者の一方に送信すると共に、上記両者の他方が主機であると設定し、上記通信を受信したときには上記両者の他方を從機であると設定することを特徴とする請求項１及び請求項２のいずれか一つに記載の空気調和装置の制御装置。
【発明の詳細な説明】
【０００１】
【発明の属する技術分野】
この発明は、冷房装置等の空気調和装置とこの空気調和装置に接続された遠隔操作器の間で情報の授受を行う空気調和装置の制御装置に関する。
【０００２】
【従来の技術】
図９は、従来の空気調和装置の制御装置の機器の電気的接続を概念的に示すブロック図である。図において、１は送受信回路２を有する空気調和装置、３は第一遠隔操作器で、送受信回路３１、通信データの解釈等を処理する制御部３２、空気調和装置１の動作や遠隔操作器の異常時解除等を行う操作入力部３３、空気調和装置１の運転状況や異常情報を表示する表示部３４及び遠隔操作器の主機／從機を設定する主機／從機設定入力部３５が設けられている。
【０００３】
４は第二遠隔操作器で、送受信回路４１、通信データの解釈等を処理する制御部４２、空気調和装置１の動作や遠隔操作器の異常時解除等を行う操作入力部４３、空気調和装置１の運転状況や異常情報を表示する表示部４４及び遠隔操作器の主機／從機を設定する主機／從機設定入力部４５が設けられている。５は信号線で、空気調和装置１の送受信回路２と第一遠隔操作器３の送受信回路３１及び第二遠隔操作器４の送受信回路４１とを接続している。
【０００４】
上記のように構成された空気調和装置の制御装置において、空気調和装置１、第一遠隔操作器３及び第二遠隔操作器４を据付けた後に、電源投入前にスイッチ（図示しない）等の人為操作を介して主機／從機設定入力部３５，４５が付勢される。これによって、第一遠隔操作器３及び第二遠隔操作器４の両者の一方が主機に、他方が從機に設定される。
【０００５】
そして、上記両者に主機／從機の機能を付与する設定が行われ、この設定に基づいて空気調和装置１及び上記両者の間の双方向通信の手順が定められる。なお、従来のこの種の装置に関連する構成が、三菱電機株式会社発行のサービステクニカルガイド１９９６年Ｍｒ．ＳＬＩＭ（商品名）Ｊ１８０形以下用の制御編Ｎｏ．ＣＴ０３の１２８頁に示されている。
【０００６】
【発明が解決しようとする課題】
上記のような従来の空気調和装置の制御装置において、故障等によって第一遠隔操作器３及び第二遠隔操作器４の両者の一方からなる主機が正常に動作しない場合に、空気調和装置の状態が正常に遠隔操作器に表示されないことになる。このようなときに、応急処置として上記両者の他方を主機に変換することが必要となる。
【０００７】
この変換のために遠隔操作器の主機／從機設定専用の外部入力手段（図示しない）による設定作業が必要である。しかし、この外部入力手段による設定作業が、通常のサービス員によって実施できない技術的範囲である場合には、応急運転不能になるという問題点があった。
【０００８】
この発明は、かかる問題点を解消するためになされたものであり、主機動作中の遠隔操作器に異常が発生したときに、他の遠隔操作器が自動的に主機に変換する空気調和装置の制御装置を得ることを目的とする。
【０００９】
【課題を解決するための手段】
この発明に係る空気調和装置の制御装置においては、空気調和装置に信号線によって接続された第一遠隔操作器及び第二遠隔操作器の両者と、これらの両者にそれぞれ具備された、これらの両者の一方が上記空気調和装置の運転状態を監視する主機動作に対し、上記一方が行う上記空気調和装置との通信に関して上記両者の他方に送達する上記運転状態を一致させ、かつ上記一方の動作を確認する從機動作機能が形成されて上記他方が上記從機動作中に上記一方の異常を検出する主機異常検出手段、及び上記一方の主機動作の異常時に上記他方を主機動作させる主機／從機設定手段、及び上記他方の主機／從機の設定状態を表示部に表示する主機／從機設定表示手段を有する制御部とを備え、上記両者の他方の制御部は、主機である上記両者の一方が行なう上記空気調和装置との通信が所定時間検出不能であるときに上記主機異常検出手段によって異常を検出し、異常が検出された場合に、上記主機／從機設定表示手段を介して上記表示部に上記両者の一方の異常を表示し、上記主機／從機設定手段により上記両者の他方を主機に変換する。
【００１０】
また、この発明に係る空気調和装置の制御装置においては、制御部は、第一遠隔操作器及び第二遠隔操作器の両者の一方が從機である場合に、主機である上記両者の他方が行う空気調和装置との通信が所定時間検出不能であるときに、上記両者の他方に主機動作確認コマンドを送信して、上記両者の他方からの応答コマンドが所定時間内に受信できないときには主機異常検出手段により上記両者の他方の異常を確定し、応答コマンドを所定時間内に受信したときには上記両者の他方の異常対策動作を解除する。
【００１１】
また、この発明に係る空気調和装置の制御装置においては、制御部は、主機／從機設定手段により第一遠隔操作器及び第二遠隔操作器の両者の他方を主機に変換する動作において、上記両者の他方が主機であることを示す主機／從機設定コマンドを上記両者の一方に送信する。これと共に、上記両者の他方が主機であると設定し、かつ主機／從機設定コマンドの送信前に上記両者の一方から主機／從機設定コマンドを受信した場合には、上記両者の他方を從機であると設定する。
【００１２】
また、この発明に係る空気調和装置の制御装置においては、制御部は、主機／從機設定手段により第一遠隔操作器及び第二遠隔操作器の両者の他方を主機に変換する動作において、上記両者の一方が行う空気調和装置との通信を監視してこの通信が受信できない場合に、上記両者の他方が主機であることを示す主機／從機設定コマンドを上記両者の一方に送信すると共に、上記両者の他方が主機であると設定し、上記通信を受信したときには上記両者の他方を從機であると設定する。
【００１３】
【発明の実施の形態】
実施の形態１．
図１及び図２は、この発明の実施の形態の一例を示す図で、図１は空気調和装置の制御装置の機器の電気的接続を概念的に示すブロック図、図２は図１の制御装置における制御部機器の電気的接続を概念的に示すブロック図である。図において、１は送受信回路２を有する空気調和装置である。
【００１４】
６は第一遠隔操作器で、空気調和装置１との通信を行うための送受信回路６１、詳細は後述するが主機となる遠隔操作器の状態監視や主機／從機設定等を処理する制御部６２、空気調和装置１の動作や主機の異常解除等を行う操作入力部６３及び空気調和装置１の運転状態や主機／從機の設定状態等を表示する表示部６４が設けられている。
【００１５】
７は第二遠隔操作器で、空気調和装置１との通信を行うための送受信回路７１、詳細は後述するが主機となる遠隔操作器の状態監視や主機／從機設定等を処理する制御部７２、空気調和装置１の動作や主機の異常解除等を行う操作入力部７３及び空気調和装置１の運転状態や主機／從機の設定状態等を表示する表示部７４が設けられている。
【００１６】
また、第一遠隔操作器６の制御部６２には、第一遠隔操作器６及び第二遠隔操作器７の両者の一方が從機である場合に、主機となる上記両者の他方が行う空気調和装置１との通信から主機の異常を検出する主機異常検出手段６２１、上記両者の他方からなる主機の異常を検出した場合に、上記両者の一方が主機となる動作を行う主機／從機設定手段６２２及び主機／從機設定手段６２２により設定した主機／從機設定の内容を表示する主機／從機設定表示手段６２３が設けられている。
【００１７】
さらに、第二遠隔操作器６の制御部７２には、第一遠隔操作器６及び第二遠隔操作器７の両者の一方が從機である場合に、主機となる上記両者の他方が行う空気調和装置１との通信から主機の異常を検出する主機異常検出手段７２１、上記両者の他方からなる主機の異常を検出した場合に、上記両者の一方が主機となる動作を行う主機／從機設定手段７２２及び主機／從機設定手段７２２で設定した主機／從機設定の内容を表示する主機／從機設定表示手段７２３が設けられている。
【００１８】
このように、第一遠隔操作器６及び第二遠隔操作器７の両者の一方が主機であって、空気調和装置１の運転状態を監視すると共に、上記両者の他方である従機にも空気調和装置１の運転状態が報知されている。この状況において、上記両者の一方に異常が発生した場合に、制御部６２，７２に動作を介して上記両者の一方の通信状態を監視することにより上記両者の一方の異常を検出する主機異常検出手段６２１，７２１を設ける。
【００１９】
また、主機異常検出手段６２１，７２１により上記両者の一方からなる主機の異常を検出した場合に、上記両者の他方が主機となる動作を行う主機／從機設定手段６２２，７２２を設けて主機／從機設定を行う。さらに、主機／從機設定手段６２２，７２２で設定した主機／從機設定の内容を表示する主機／從機設定表示手段６２３，７２３を設けて主機／從機設定の内容が表示される。
【００２０】
この構成において、故障等によって第一遠隔操作器６及び第二遠隔操作器７の両者の一方からなる主機が正常に動作しない場合に、主機／從機設定専用の外部入力手段（図示しない）による設定作業を要することなく、主機／從機設定を確認することができる。したがって、故障等の異常発生時に容易に対応作業ができ、保守作業性を向上することができる。
【００２１】
実施の形態２．
図３は、この発明の他の実施の形態の一例を示す図で、空気調和装置の制御装置の動作を説明するフローチャートである。なお、図３の他は前述の図１及び図２の実施の形態と同様に空気調和装置の制御装置が構成されている。
【００２２】
前述の図１及び図２のように構成された空気調和装置の制御装置において、制御部６２，７２等の動作を図３に示すフローチャートによって説明する。すなわち、ステップ３０１において主機である第一遠隔操作器６及び第二遠隔操作器７の両者の他方の通信監視を行うためのタイマをスタートさせる。次いで、ステップ３０２により上記両者の他方からの送信コマンドを受信するか又はタイムアウトが発生するまでタイマをカウントとする。
【００２３】
そして、ステップ３０３へ進みタイムアウトが発生しなければステップ３０４へ進む。また、ステップ３０３でタイムアウトが発生すればステップ３０５へ進む。そして、ステップ３０４においてタイマのカウント中に上記両者の他方からの送信コマンドの受信があればステップ３０１へ戻り、上記両者の他方からの送信コマンドの受信がなければステップ３０２へ戻る。そして、ステップ３０５において主機異常検出手段６２１，７２１が動作して上記両者の他方、すなわち主機の異常を検出する。
【００２４】
このようにして、第一遠隔操作器６及び第二遠隔操作器７の両者の一方が從機である場合に、制御部６２，７２の動作によって主機である上記両者の他方が行う空気調和装置１との通信がタイムアウト発生まで、すなわち所定時間検出不能であるときに主機異常検出手段６２１，７２１が動作し、上記両者の他方、すなわち主機の異常を検出するものである。したがって、故障等の異常発生時に容易に対応作業ができ、保守作業性を向上することができる。
【００２５】
実施の形態３．
図４も、この発明の他の実施の形態の一例を示す図で、空気調和装置の制御装置の動作を説明するフローチャートである。なお、図４の他は前述の図１及び図２の実施の形態と同様に空気調和装置の制御装置が構成されている。
【００２６】
前述の図１及び図２のように構成された空気調和装置の制御装置において、制御部６２，７２等の動作を図４に示すフローチャートによって説明する。すなわち、ステップ４０１において主機である第一遠隔操作器６及び第二遠隔操作器７の両者の他方に対して動作を確認するためのコマンドを送信する。次いで、ステップ４０２により上記両者の他方からの応答コマンド受信待ちタイマをスタートさせる。
【００２７】
そして、ステップ４０３へ進み上記両者の他方からの応答コマンドを受信するか又はタイムアウトが発生するまでタイマをカウントする。次に、ステップ４０４へ進んでタイムアウトが発生しなければステップ４０５へ進み、またステップ４０４でタイムアウトが発生すればステップ４０７へ進む。そして、ステップ４０５でタイマのカウント中に上記両者の他方からの応答コマンドの受信がなければステップ４０３へ戻る。
【００２８】
また、ステップ４０５でタイマのカウント中に上記両者の他方からの応答コマンドの受信があればステップ４０６へ進んで、上記両者の他方の異常対策動作を解除する。また、ステップ４０４でタイムアウトが発生したときにはステップ４０７において上記両者の他方の異常発生を確定し、主機異常検出手段６２１，７２１が動作して上記両者の他方、すなわち主機の異常を検出する。
【００２９】
このようにして、第一遠隔操作器６及び第二遠隔操作器７の両者の一方が從機である場合に、主機である上記両者の他方が行う空気調和装置１との通信が所定時間検出不能であるときに、制御部６２，７２の動作によって主機である上記両者の他方に動作確認のコマンドを送信し、上記両者の他方からの応答コマンドが所定時間内に受信できないときには主機異常検出手段６２１，７２１が動作し、自動的に上記両者の他方、すなわち主機の異常を検出するものである。
【００３０】
また、所定時間内に応答コマンドを受信したときには上記両者の他方、すなわち主機の異常対策動作を解除するものである。したがって、故障等の異常発生時に容易に対応作業ができ、保守作業性を向上することができる。
【００３１】
実施の形態４．
図５も、この発明の他の実施の形態の一例を示す図で、空気調和装置の制御装置の動作を説明するフローチャートである。なお、図５の他は前述の図１及び図２の実施の形態と同様に空気調和装置の制御装置が構成されている。
【００３２】
前述の図１及び図２のように構成された空気調和装置の制御装置において、制御部６２，７２等の動作を図５に示すフローチャートによって説明する。すなわち、ステップ５０１において第一遠隔操作器６及び第二遠隔操作器７の両者の一方が從機として動作し、主機異常検出手段６２１，７２１により主機である上記両者の他方の動作を監視し、異常を検出した場合にはステップ５０２へ進む。
【００３３】
そして、ステップ５０２において上記両者の他方の異常発生を表示部６４，７４に異常と表示する。次いで、ステップ５０３へ進み主機／從機設定手段６２２，７２２の動作により上記両者の一方、すなわち從機が主機に変換すると共に、主機／從機設定表示手段６２３，７２３の動作を介して表示部６４，７４に從機／主機変換が表示される。
【００３４】
このようにして、第一遠隔操作器６及び第二遠隔操作器７の両者の一方が從機である場合に、制御部６２，７２の動作を介して主機である上記両者の他方の動作を監視する。そして、異常検出時には表示部６４，７４に異常と表示すると共に、自動的に上記両者の一方、すなわち從機が主機に変換するものである。したがって、故障等の異常発生時に容易に対応作業ができ、保守作業性を向上することができる。
【００３５】
実施の形態５．
図６も、この発明の他の実施の形態の一例を示す図で、空気調和装置の制御装置の動作を説明するフローチャートである。なお、図６の他は前述の図１及び図２の実施の形態と同様に空気調和装置の制御装置が構成されている。
【００３６】
前述の図１及び図２のように構成された空気調和装置の制御装置において、制御部６２，７２等の動作を図６に示すフローチャートによって説明する。すなわち、ステップ６０１において第一遠隔操作器６及び第二遠隔操作器７の両者の一方が從機として動作し、主機異常検出手段６２１，７２１により主機である上記両者の他方の動作を監視し、異常を検出した場合にはステップ６０２へ進む。
【００３７】
そして、ステップ６０２において上記両者の他方の異常発生を表示部６４，７４に異常と表示する。次いで、ステップ６０３へ進み操作入力部６３，７４からの上記両者の他方の異常解除操作入力があればステップ６０４へ進んで、主機／從機設定手段６２２，７２２の動作により上記両者の一方、すなわち從機が主機に変換すると共に、主機／從機設定表示手段６２３，７２３の動作を介して表示部６４，７４に從機／主機変換が表示される。
【００３８】
このようにして、第一遠隔操作器６及び第二遠隔操作器７の両者の一方が從機である場合に、制御部６２，７２の動作を介して主機である上記両者の他方の動作を監視する。そして、異常検出時には表示部６４，７４に異常と表示し、また操作入力部６３，７４により上記両者の他方の異常が解除されると主機／從機設定手段６２２，７２２の動作により上記両者の一方、すなわち從機が主機に変換するものである。したがって、故障等の異常発生時に容易に対応作業ができ、保守作業性を向上することができる。
【００３９】
実施の形態６．
図７も、この発明の他の実施の形態の一例を示す図で、空気調和装置の制御装置の動作を説明するフローチャートである。なお、図７の他は前述の図１及び図２の実施の形態と同様に空気調和装置の制御装置が構成されている。前述の図１及び図２のように構成された空気調和装置の制御装置において、制御部６２，７２等の動作を図７に示すフローチャートによって説明する。
【００４０】
すなわち、ステップ７０１において第一遠隔操作器６及び第二遠隔操作器７の両者の一方が從機として動作し、主機異常検出手段６２１，７２１により主機である上記両者の他方の異常が検出された場合、上記両者の他方に対して主機／從機設定コマンドが送信される。しかし、その間に上記両者の他方からの主機／從機設定コマンド受信があればステップ７０２へ進む。
【００４１】
そして、ステップ７０２において上記両者の一方が從機として設定される。また、ステップ７０１において上記両者の他方に対する主機／從機設定コマンドの受信がなければステップ７０３へ進んで上記両者の他方に対する主機／從機設定コマンドを送信する。次いで、ステップ７０４に進み上記両者の一方が從機から主機に変換される。
【００４２】
このようにして、第一遠隔操作器６及び第二遠隔操作器７の両者の一方が從機である場合に、制御部６２，７２の動作を介して主機である上記両者の他方の異常が検出された場合、上記両者の他方に対して主機／從機設定コマンドが送信される。
【００４３】
しかし、その間に上記両者の他方からの主機／從機設定コマンド受信があれば上記両者の一方を從機として設定すると共に、上記両者の他方からの主機／從機設定コマンド受信がなければ、上記両者の他方に対する主機／從機設定コマンドを送信して、上記両者の一方を從機から主機に変換するものである。したがって、故障等の異常発生時に容易に対応作業ができ、保守作業性を向上することができる。
【００４４】
実施の形態７．
図８も、この発明の他の実施の形態の一例を示す図で、空気調和装置の制御装置の動作を説明するフローチャートである。なお、図８の他は前述の図１及び図２の実施の形態と同様に空気調和装置の制御装置が構成されている。前述の図１及び図２のように構成された空気調和装置の制御装置において、制御部６２，７２等の動作を図８に示すフローチャートによって説明する。
【００４５】
すなわち、ステップ８０１において第一遠隔操作器６及び第二遠隔操作器７の両者の一方が從機として動作し、主機異常検出手段６２１，７２１により主機である上記両者の他方の異常が検出された場合、上記両者の他方の送信コマンドを受信したときにはステップ８０２へ進み、送信コマンドを受信しないときにはステップ８０３へ進む。
【００４６】
そして、ステップ８０３において、上記両者の他方に対して主機／從機設定コマンドが送信される。しかし、その間に上記両者の他方からの主機／從機設定コマンド受信があればステップ８０２へ進み、その間に上記両者の他方からの主機／從機設定コマンド受信がなければステップ８０４へ進む。
【００４７】
そして、ステップ８０４で上記両者の他方に対する主機／從機設定コマンドを送信する。次いで、ステップ８０５に進み上記両者の一方が從機から主機に変換される。また、前述のステップ８０２においては上記両者の一方が從機として設定される。
【００４８】
このようにして、第一遠隔操作器６及び第二遠隔操作器７の両者の一方が從機である場合に、制御部６２，７２の動作を介して主機である上記両者の他方の異常が検出された場合、上記両者の他方に対して主機／從機設定コマンドが送信される。そして、上記両者の他方に対する送信コマンドを受信したときには上記両者の一方を從機として設定する。また、上記両者の他方の送信コマンドを受信しないときは、上記両者の他方に対して主機／從機設定コマンドが送信される。
【００４９】
そして、前述の上記両者の他方に対する送信コマンドを受信しないときの上記両者の他方に対する主機／從機設定コマンドの送信中に、上記両者の他方からの主機／從機設定コマンド受信があれば上記両者の一方を從機として設定する。また、前述の送信中に上記両者の他方からの主機／從機設定コマンド受信がなければ上記両者の他方に対する主機／從機設定コマンドを送信する。次いで、上記両者の一方を從機から主機に変換するものである。したがって、故障等の異常発生時に容易に対応作業ができ、保守作業性を向上することができる。
【００５０】
【発明の効果】
この発明は以上説明したように、空気調和装置に信号線によって接続された第一遠隔操作器及び第二遠隔操作器の両者と、これらの両者にそれぞれ具備された、これらの両者の一方が上記空気調和装置の運転状態を監視する主機動作に対し、上記一方が行う上記空気調和装置との通信に関して上記両者の他方に送達する上記運転状態を一致させ、かつ上記一方の動作を確認する從機動作機能が形成されて上記他方が上記從機動作中に上記一方の異常を検出する主機異常検出手段、及び上記一方の主機動作の異常時に上記他方を主機動作させる主機／從機設定手段、及び上記他方の主機／從機の設定状態を表示部に表示する主機／從機設定表示手段を有する制御部とを備え、上記両者の他方の制御部は、主機である上記両者の一方が行なう上記空気調和装置との通信が所定時間検出不能であるときに上記主機異常検出手段によって異常を検出し、異常が検出された場合に、上記主機／從機設定表示手段を介して上記表示部に上記両者の一方の異常を表示し、上記主機／從機設定手段により上記両者の他方を主機に変換するようにしたものである。
【００５１】
これによって、故障等によって第一遠隔操作器６及び第二遠隔操作器７の両者の一方からなる主機が正常に動作しない場合に、主機／從機設定専用の外部入力手段等による設定作業を要することなく、主機異常検出手段、主機／從機設定手段及び主機／從機設定表示手段によって主機／從機設定を確認することができる。したがって、故障等の異常発生時に容易に対応することができ、保守作業性が向上する効果がある。
【００５２】
また、この発明は以上説明したように、制御部は、第一遠隔操作器及び第二遠隔操作器の両者の一方が從機である場合に、主機である上記両者の他方が行う空気調和装置との通信が所定時間検出不能であるときに、上記両者の他方に主機動作確認コマンドを送信し、上記両者の他方からの応答コマンドが所定時間内に受信できないときには主機異常検出手段により上記両者の他方の異常を確定し、応答コマンドを所定時間内に受信したときには上記両者の他方の異常対策動作を解除するようにしたものである。
【００５３】
これによって、上記両者の一方が從機である場合に、制御部の動作によって主機である上記両者の他方が行う空気調和装置との通信が所定時間検出不能であるときに、主機である上記両者の他方に動作確認のコマンドを送信し、上記両者の他方からの応答コマンドが所定時間内に受信できないときには主機異常検出手段が動作し、自動的に上記両者の他方、すなわち主機の異常を自動的に検出する。また、所定時間内に応答コマンドを受信したときには上記両者の他方、すなわち主機の異常対策動作を解除する。したがって、故障等の異常発生時に容易に対応作業ができ、保守作業性を向上する効果がある。
【００５４】
また、この発明は以上説明したように、制御部は、主機／從機設定手段により第一遠隔操作器及び第二遠隔操作器の両者の他方を主機に変換する動作において、上記両者の他方が主機であることを示す主機／從機設定コマンドを上記両者の一方に送信すると共に、上記両者の他方が主機であると設定し、かつ主機／從機設定コマンドの送信前に上記両者の一方から主機／從機設定コマンドを受信した場合には、上記両者の他方を從機であると設定するようにしたものである。
【００５５】
これによって、第一遠隔操作器及び第二遠隔操作器の両者の他方が從機である場合に、主機である上記両者の一方の異常が検出されたときに、上記両者の他方が主機であることを示す主機／從機設定コマンドを上記両者の一方に送信する。これと共に、上記両者の他方が主機であると設定し、かつ主機／從機設定コマンドの送信前に上記両者の一方から主機／從機設定コマンドを受信した場合には、上記両者の他方を從機であると設定するものである。したがって、故障等の異常発生時に容易に対応作業ができ、保守作業性が向上する効果がある。
【００５６】
また、この発明は以上説明したように、制御部は、主機／從機設定手段により第一遠隔操作器及び第二遠隔操作器の両者の他方を主機に変換する動作において、上記両者の一方が行う空気調和装置との通信を監視してこの通信が受信できない場合に、上記両者の他方が主機であることを示す主機／從機設定コマンドを上記両者の一方に送信すると共に、上記両者の他方が主機であると設定して、上記通信を受信したときには、上記両者の他方を從機であると設定するようにしたものである。
【００５７】
これによって、第一遠隔操作器及び第二遠隔操作器の両者の他方が從機である場合に、この両者の他方を主機に変換する動作において、上記両者の一方が行う空気調和装置との通信を監視してこの通信が受信できないときに、上記両者の他方が主機であることを示す主機／從機設定コマンドを上記両者の一方に送信し、かつ上記両者の他方が主機であると設定する。また、上記通信を受信したときには、上記両者の他方を從機であると設定するものである。したがって、故障等の異常発生時に容易に対応作業ができ、保守作業性が向上する効果がある。
【図面の簡単な説明】
【図１】  この発明の実施の形態１を示す図で、空気調和装置の制御装置の機器の電気的接続を概念的に示すブロック図。
【図２】  図１の制御装置における制御部機器の電気的接続を概念的に示すブロック図。
【図３】  この発明の実施の形態２を示す図で、空気調和装置の制御装置の動作を説明するフローチャート。
【図４】  この発明の実施の形態３を示す図で、空気調和装置の制御装置の動作を説明するフローチャート。
【図５】  この発明の実施の形態４を示す図で、空気調和装置の制御装置の動作を説明するフローチャート。
【図６】  この発明の実施の形態５を示す図で、空気調和装置の制御装置の動作を説明するフローチャート。
【図７】  この発明の実施の形態６を示す図で、空気調和装置の制御装置の動作を説明するフローチャート。
【図８】  この発明の実施の形態７を示す図で、空気調和装置の制御装置の動作を説明するフローチャート。
【図９】  従来の空気調和装置の制御装置の機器の電気的接続を概念的に示すブロック図。
【符号の説明】
１  空気調和装置、５  信号線、６  第一遠隔操作器、７  第二遠隔操作器、６２，７２  制御部、６２１，７２１  主機異常検出手段、６２２，７２２  主機／從機設定手段、６２３，７２３  主機／從機設定表示手段、６３，７３  操作入力部、６４，７４  表示部。
【図１】
0003856897.tif 000002
【図２】
0003856897.tif 000003
【図３】
0003856897.tif 000004
【図４】
0003856897.tif 000005
【図５】
0003856897.tif 000006
【図６】
0003856897.tif 000007
【図７】
0003856897.tif 000008
【図８】
0003856897.tif 000009
【図９】
0003856897.tif 000010